(57)【要約】      （修正有）【課題】電磁継電器において、組立時の清掃工程のエアによるケースの異物除去を容易にする。【解決手段】電磁継電器は、接点部品を含む構成部品が組み込まれるベースブロックと、構成部品及びベースブロックを収容するケースとを有する。ベースブロックに組み込まれる構成部品は、接点部品と電磁石を含む。ケースの内面４８は、交線５４を介して互いに隣接する面５０、５２を有し、隣接する面５０、５２同士は、交線５４において鈍角を成す方向へ延びる。ケースは一端で開口する凹部４６を有する。凹部４６は接点部品及び他の構成部品を収容する。凹部４６は内面４８を有する。内面４８は、互いに交差する方向へ延びる複数の面５０、５２、６０、６２を有する。面５０、５２、６０、６２のうち、交線５４を介して互いに隣接する面５０、５２はいずれも曲面であって、交線５４における面５０、５２各々の接平面が互いに鈍角を成す方向へ延びる。【選択図】図２
2020166981.tif 000002
【特許請求の範囲】
【請求項１】
ケースを備えた電磁継電器であって、
前記ケースの内面は、交線を介して互いに隣接する面を有し、
前記隣接する面同士は、前記交線において鈍角を成す方向へ延びる、
電磁継電器。
【請求項２】
前記交線を介して隣接する面の少なくとも一つは曲面であり、前記交線における該曲面の接平面が前記隣接する面に対して前記鈍角を規定する、請求項１に記載の電磁継電器。
【請求項３】
前記ケースの外面は、前記面及び前記交線に対応する位置に曲面を含む、請求項１又は２に記載の電磁継電器。
【請求項４】
接点部品を収容するケースを備えた電磁継電器であって、
前記ケースの内面は、単一の曲面である、
電磁継電器。
【請求項５】
前記内面の反対側の前記ケースの外面は、曲面を含む、請求項４に記載の電磁継電器。
【発明の詳細な説明】
【技術分野】
【０００１】
本発明は、電磁継電器に関する。
【背景技術】
【０００２】
電磁石により接点部を開閉する電磁継電器が知られている。特許文献１には、電磁石、及び接点部を収容する箱状のケースを備える電磁継電器が開示されている。
【先行技術文献】
【特許文献】
【０００３】
【特許文献１】特開２００６−５９７０２号公報
【発明の概要】
【発明が解決しようとする課題】
【０００４】
電磁継電器の組立ての際、ケースの内部に埃や樹脂片等の異物が存在していると、異物が接点に付着して動作時に導通不良を起こす場合がある。そのため、組立工程においてケースの内部にエアを吹き付けて異物を除去しているが、異物が残留する場合がある。
【課題を解決するための手段】
【０００５】
本開示の一態様は、ケースを備えた電磁継電器であって、ケースの内面は、交線を介して互いに隣接する面を有し、隣接する面同士は、交線において鈍角を成す方向へ延びる、電磁継電器である。
【０００６】
本開示の他の態様は、接点部品を収容するケースを備えた電磁継電器であって、ケースの内面は、単一の曲面である、電磁継電器である。
【発明の効果】
【０００７】
一態様の電磁継電器によれば、ケースの内面に吹き付けられたエアが一対の面に沿って流れ易くなるから、エアによりケース内部の異物を除去できる。
【０００８】
他の態様の電磁継電器によれば、ケースの内面に吹き付けられたエアが単一の曲面に沿って流れ易くなるから、エアによりケース内部の異物を除去できる。
【図面の簡単な説明】
【０００９】
【図１】一実施形態の電磁継電器の斜視図である。
【図２】図１のＩＩ−ＩＩ線に沿ったケースの斜視断面図である。
【図３】図２のケースの正面断面図である。
【図４】図２のケースの変形例の断面図である。
【図５】比較例のケースにおけるエアの流れを説明する図である。
【図６】図２のケースにおけるエアの流れを説明する図である。
【図７】図７（ａ）は、変形例のケースの斜視図であり、図７（ｂ）は、図７（ａ）のＶＩＩ−ＶＩＩ線に沿った斜視断面図である。
【図８】図７（ｂ）のケースの正面断面図である。
【図９】図９（ａ）は、変形例のケースの斜視図であり、図９（ｂ）は、図９（ａ）のＩＸ−ＩＸ線に沿った斜視断面図である。
【図１０】図９（ｂ）のケースの正面断面図である。
【図１１】図１１（ａ）は、変形例のケースの斜視図であり、図１１（ｂ）は、図１１（ａ）のＸＩ−ＸＩ線に沿った斜視断面図である。
【図１２】図１１（ｂ）のケースの正面断面図である。
【図１３】図１３（ａ）は、変形例のケースの斜視図であり、図１３（ｂ）は、図１３（ａ）のＸＩＩＩ−ＸＩＩＩ線に沿った斜視断面図である。
【図１４】図１３（ｂ）のケースの正面断面図である。
【図１５】図１５（ａ）は、変形例のケースの斜視図であり、図１５（ｂ）は、図１５（ａ）のＸＶ−ＸＶ線に沿った斜視断面図である。
【図１６】図１５のケースにおけるエアの流れを説明する図である。
【図１７】図１７（ａ）は、変形例のケースの斜視図であり、図１７（ｂ）は、図１７（ａ）のＸＶＩＩ−ＸＶＩＩ線に沿った断面図である。
【発明を実施するための形態】
【００１０】
以下、添付図面を参照して、本開示の実施の形態を説明する。それぞれの図において、同一または相当する部分には同一の符号を付す。
【００１１】
図１は一実施形態の電磁継電器２の分解斜視図である。電磁継電器２は、接点部品を含む構成部品が組み込まれるベースブロック４と、構成部品及びベースブロック４を収容するケース６とを有する。ベースブロック４及びケース６は、樹脂により形成される。
【００１２】
ベースブロック４に組み込まれる構成部品は、接点部品と、電磁石８と、ヒンジばね１０と、接極子１２と、カード１４とを含む。接点部品は、脚１６ａ、１６ｂ及び接点１８を有する可動端子２０と、脚２２ａ、２２ｂ及び接点２４を有するブレーク固定端子２６と、脚２８ａ、２８ｂ及び接点３０を有するメーク固定端子３２とを含む。
【００１３】
電磁石８は、コイル組立３４と、ヨーク３８と、鉄心３６とを有する。コイル組立３４は、コイル端子４０ａ、４０ｂと、コイル４２と、コイル４２が巻回されるボビン４４とを有する。
【００１４】
電磁継電器２では、コイル端子４０ａ、４０ｂに電圧を印加することで電磁石８を励磁する。電磁石８の励磁により、接極子１２が鉄心３６に吸着する。カード１４は接極子１２と連動しており、接極子１２の鉄心３６への吸着に伴い可動端子２０を押圧し、可動端子２０の接点１８とメーク固定端子３２の接点３０とを接触させる。ヒンジばね１０は、接極子１２とヨーク３８とに取り付けられ、接極子１２を鉄心３６から離れる方向へ弾性的に付勢する。
【００１５】
コイル端子４０ａ、４０ｂへの電圧印加を停止すると、ヒンジばね１０の付勢力により接極子１２は鉄心３６から離れるように復帰動作する。接極子１２の復帰動作に伴いカード１４が可動端子２０を押圧する力が解除され、接点１８は接点３０から離れてブレーク固定端子２６の接点２４と接触する。
【００１６】
上記の構成により電磁継電器２は接点を開閉する。上記の構成は一例であり、例えばブレーク固定端子２６を省略しても良い。
【００１７】
図２及び図３を参照して、ケース６について説明する。図２は図１のＩＩ−ＩＩ線に沿ったケース６の斜視断面図である。図３はケース６の正面断面図である。
【００１８】
ケース６は一端で開口する凹部４６を有する。凹部４６は接点部品２０、２６、３２及び他の構成部品を収容する。
【００１９】
凹部４６は内面４８を有する。内面４８は、互いに交差する方向へ延びる複数の面５０、５２、６０、６２を有する。面５０、５２、６０、６２のうち、交線５４を介して互いに隣接する面５０、５２はいずれも曲面であって、交線５４における面５０、５２各々の接平面５６、５８が互いに鈍角を成す方向へ延びる。
【００２０】
交線６４を介して互いに隣接する面６０、６２はいずれも曲面であって、交線６４における面６０、６２各々の接平面６６、６８が互いに鈍角を成す方向へ延びる。
【００２１】
交線７０を介して互いに隣接する面５２、６２は、交線７０における各々の接平面７２、７４が互いに鈍角を成す方向へ延びる。
【００２２】
交線７６を介して互いに隣接する面６０、６２は、交線７６における各々の接平面７８、８０が互いに鈍角を成す方向へ延びる。
【００２３】
上記の通り、面５０、５２、６０、６２はそれぞれ、交線を介して隣接する他の面との角度が鈍角となるように形成される。接平面のなす角度はそれぞれが任意の角度、例えば１５０度以上を採用し得る。
【００２４】
面５０、５２、６０、６２は任意の曲率半径を有するように形成され得るが、いずれもが例えば０．２ｍｍ以上に形成される。または面５０、５２、６０、６２は、ケース６の開口端における板厚よりも大きく形成される。
【００２５】
なお面５０、５２、６０、６２は平面であっても良い。例えば面５０が平面、面５２が曲面であってもよく、面５０、５２の双方が平面であってもよい。また内面４８は、任意の数だけ面を有してよい。
【００２６】
図４はケース６の変形例の正面断面図である。変形例において、交線５４を介して互いに隣接する面５０、５２はいずれも平面であって、交線５４において互いに鈍角を成す方向へ延びる。
【００２７】
図５及び図６を参照して、ケース６の形状の効果を説明する。図５は比較例のケース８１の断面図であり、エアノズル９１によって噴射されたエアの流れを示す。ケース８１は一端で開口するとともに、内面８４を有する。内面８４は平面状の面８６、８８、９０を有する。面８６、８８又は８８、９０は、互いに交差する第１の部分９２及び第２の部分９４において直角に連結される。
【００２８】
エアノズル９１により面８８に向かってエアを噴射すると、ケース８１の角周辺の領域９６と領域９８とにおいて噴射されたエアがケース８１の内面８４に当たって跳ね返り、エアが乱反射することでエアの流れが乱雑となり、エア圧が高まるとともにエアの流速が遅くなる。結果として、領域９６、９８にある異物の除去が困難となる場合がある。ここで、異物は例えば埃やケース８１の成形時に生じたバリ等の樹脂片が想定される。
【００２９】
図６はケース６の断面図であり、エアノズル１００によって噴射されたエアの流れを示す。本実施形態では、ケース６の内面４８に吹き付けられたエアが、隣接する面と互いに鈍角を成す方向へ延びる面５０、５２、６０及び６２に沿って流れ易くなるから、エアによりケース６内部の異物を残さず除去できる。
【００３０】
図７から図１５を参照して、ケース６の変形例を説明する。
【００３１】
図７（ａ）は変形例のケース１０２の斜視図である。図７（ｂ）は図７（ａ）のＶＩＩ−ＶＩＩ線に沿った斜視断面図である。図８はケース１０２の正面断面図である。
【００３２】
ケース１０２は一端で開口し、内面１０８を有する。内面１０８は、それぞれ曲面状の面１１０、１１２を有する。ケース１０２の開口側からみて奥側の面１１２は球面状に形成される。面１１２は、曲率半径１１４が例えば０．２ｍｍ以上に形成される。または曲率半径１１４はケース１０２の開口端における板厚よりも大きく形成される。
【００３３】
図９（ａ）は変形例のケース１２０の斜視図である。図９（ｂ）は図９（ａ）のＩＸ−ＩＸ線に沿った斜視断面図である。図１０はケース１２０の正面断面図である。
【００３４】
ケース１２０は一端で開口し、内面１２６を有する。内面１２６は、それぞれ曲面状の面１２８、１３０を有する。ケース１２０の開口側からみて奥側の面１３０は、長径１３２及び短径１３４を有する楕円面として形成される。面１３０は、短径１３４が例えば０．２ｍｍ以上に形成される。または短径１３４はケース１２０の開口端における板厚よりも大きく形成される。
【００３５】
図１１（ａ）は変形例のケース１４０の斜視図である。図１１（ｂ）は図１１（ａ）のＸＩ−ＸＩ線に沿った斜視断面図である。図１２はケース１４０の正面断面図である。
【００３６】
ケース１４０は一端で開口し、内面１４６を有する。内面１４６は、それぞれ曲面状の面１４８、１５０、１５２、１５４を有する。ケース１４０の開口側からみて奥側にある、交線１５５を介して隣接する面１５２および１５４は互いに異なる曲率半径１５６、１５８を有する。面１５２、１５４の曲率半径１５６、１５８は、例えば０．２ｍｍ以上である。または曲率半径１５６、１５８はケース１４０の開口端における板厚よりも大きく形成される。
【００３７】
図１３（ａ）は変形例のケース１６４の斜視図である。図１３（ｂ）は図１３（ａ）のＸＩＩＩ−ＸＩＩＩ線に沿った斜視断面図である。図１４はケース１６４の正面断面図である。
【００３８】
ケース１６４は一端で開口し、内面１６８を有する。内面１６８は、それぞれ曲面状の面１７０、１７２、１７４、１７６を有する。内面１６８はさらに、面１７０、１７２の間に面１７８を、面１７４、１７６の間に面１８０を有する。面１８０は平面である。また内面１６８は、開口側からみて最も奥側の面１７４、１７６の間に平面状の面１８１を有する。
【００３９】
図１５（ａ）は変形例のケース１８２の斜視図である。図１５（ｂ）は図１５(ａ)のＸＶ−ＸＶ線に沿った斜視断面図である。
【００４０】
ケース１８２は一端で開口し、単一の球面として形成される内面１８６を有する。
【００４１】
図１６は図１５（ｂ）を正面からみた断面図であり、エアノズル１８８によって噴射されたエアの流れを示す。本実施形態では、ケース１８２の内面１８６に吹き付けられたエアが球面に沿って流れ易くなるから、エアによりケース１８２内部の異物を残さず除去できる。
【００４２】
図１７（ａ）は変形例のケース１９０の斜視図である。図１７（ｂ）は図１７（ａ）のＸＶＩＩ−ＸＶＩＩ線に沿った斜視断面図である。
【００４３】
ケース１９０は一端で開口し、内面１９６を有する。内面１９６は、面１９８、２００を有する。面１９８は曲面であり、面２００は球面である。交線２０２を介して互いに隣接する一対の面１９８、２００は、交線２０２において鈍角を成す方向へ延びる。
【００４４】
ケース１９０は外面２０４を有する。外面２０４は、面１９８の反対側に複数の面２０６、２０８、２１０、２１２を有する。面２０６、２１０は凹曲面であり、面２０８、２１２は平面である。凹曲面と平面とは、交互に配置されるように形成される。
【００４５】
外面２０４は、面２０６、２０８、２１０、２１２の図で上方に面２１４、２１６を有する。面２１４は曲面であり、面２１６は平面である。ケース１９０は、面２１４、２１６によりドーム状の外形に形成される。なお面２０６、２０８、２１０、２１２、２１４は、面１９８、２００及び交線２０２に対応する位置に配置される。
【００４６】
ケースが箱状で、且つ内面が曲面状に形成されている場合、部分的にケースの板厚が厚くなり、ケース成型時に内面のヒケなどを起こす可能性がある。これに対し、図１７の例のように外面２０４に凹曲面を形成し、かつ、ケース１９０をドーム状に形成することで、ケース１９０の板厚の増加が抑制され、ケース１９０の成形時に生じ得る内面１９６のヒケを低減する。
【００４７】
上記の実施形態は、適宜組み合わせることができる。例えばケース１９０の内面１９６を単一の球面として形成しても良い。なお、上記の実施形態は例示であり発明を限定するものではない。
【符号の説明】
【００４８】
２    電磁継電器
６、１０２、１２０、１４０、１６４、１８２、１９０    ケース
２０、２６、３２    接点部品
４８、１０８、１２６、１４６、１６８、１８６、１９６    内面
５０、５２、６０、６２、１１０、１１２、１２８、１３０、１４８、１５０、１５２、１５４、１７０、１７２、１７４、１７６、１７８、１８０、１８１、１９８、２００    面
５４、６４、７０、７６、２０２    交線
５６、５８、６６、６８、７２、７４、７８、８０    接平面
２０４    外面
【図１】
2020166981.tif 000003
【図２】
2020166981.tif 000004
【図３】
2020166981.tif 000005
【図４】
2020166981.tif 000006
【図５】
2020166981.tif 000007
【図６】
2020166981.tif 000008
【図７】
2020166981.tif 000009
【図８】
2020166981.tif 000010
【図９】
2020166981.tif 000011
【図１０】
2020166981.tif 000012
【図１１】
2020166981.tif 000013
【図１２】
2020166981.tif 000014
【図１３】
2020166981.tif 000015
【図１４】
2020166981.tif 000016
【図１５】
2020166981.tif 000017
【図１６】
2020166981.tif 000018
【図１７】
2020166981.tif 000019